(57)【要約】      （修正有）【課題】小型で携帯性に優れる携帯電話スタンドを提供する。【解決手段】携帯電話の側面の一部を載せる第１支持板状部材１１と、この第１支持板状部材１１に連結され、携帯電話の背面の一部を支える第２支持板状部材１２と、この第２支持板状部材１２に連結され、当該第２支持板状部材１２を支える第３支持板状部材１３と、を備える携帯電話スタンドを使用する。具体的には、各支持板状部材１１・１２・１３は、互いに回動可能で折り畳み可能に、例えば一方に設けた凸部１４・１５を他方に形成した小孔１６・１７に係合する等で結合されている。さらに、各支持板状部材１１・１２・１３を互いに直角状態に保持可能とする直角保持機構を備える。そして、第３支持板状部材１３の一部には、携帯ストラップの連結部分１３ｃを備える。【選択図】図５
0003162834.tif 000002
【実用新案登録請求の範囲】
【請求項１】
携帯電話の側面の一部を載せる第１支持板状部材と、
この第１支持板状部材に連結され、携帯電話の背面の一部を支える第２支持板状部材とを備える、携帯電話スタンド。
【請求項２】
前記第２支持板状部材に連結され、前記第２支持板状部材を支える第３支持板状部材を備える、請求項１に記載の携帯電話スタンド。
【請求項３】
前記支持板状部材は、互いに回動可能で折り畳み可能に結合されている、請求項１または２に記載の携帯電話スタンド。
【請求項４】
前記支持板状部材を互いに直角状態に保持可能とする直角保持機構を備える、請求項１から３のいずれか一項に記載の携帯電話スタンド。
【請求項５】
前記支持板状部材の一部に、携帯ストラップの連結部分を備える、請求項１から４のいずれか一項に記載の携帯電話スタンド。
【考案の詳細な説明】
【技術分野】
【０００１】
本考案は、携帯電話スタンドに関する。
【背景技術】
【０００２】
携帯電話を載置する支持板状部材の端部に、携帯電話を貫通してその側部を保持する第１及び第２の保持枠を回動可能に連結してなる折り畳み式携帯電話スタンドがある（特許文献１参照）。
【０００３】
また、携帯電話に設けたスタンドを使用して、携帯電話を横置き状態にして横長の画面で見ることができるようにしたものがある（特許文献２参照）。
【先行技術文献】
【特許文献】
【０００４】
【特許文献１】特開２００４−６５８５４号公報
【特許文献２】特開２００５−１０１８７９号公報
【考案の概要】
【考案が解決しようとする課題】
【０００５】
しかし、特許文献１の折り畳み式携帯電話スタンドは、携帯電話を立てたまま第１及び第２の保持枠に貫通して側部を保持させる大型のもので、折り畳んだ状態でも大きいものとなっており、携帯電話とは別に携帯する必要があった。
【０００６】
また、特許文献２のスタンドは、携帯電話を横置き状態にして横長の画面で見ることができるが、携帯電話に設けなければならず、携帯電話のデザイン性と携帯性に影響を与える問題がある。
【０００７】
本考案の目的は、小型で携帯性に優れる携帯電話スタンドを提供することである。
【課題を解決するための手段】
【０００８】
上記目的を達成するために、第１の本考案は、携帯電話の側面の一部を載せる第１支持板状部材と、この第１支持板状部材に連結され、携帯電話の背面の一部を支える第２支持板状部材とを備える、携帯電話スタンドである。
【０００９】
第２の本考案は、前記第２支持板状部材に連結され、前記第２支持板状部材を支える第３支持板状部材を備える、第１の本考案の携帯電話スタンドである。
【００１０】
第３の本考案は、前記支持板状部材は、互いに回動可能で折り畳み可能に結合されている、第１または第２の本考案の携帯電話スタンドである。
【００１１】
第４の本考案は、前記支持板状部材を互いに直角状態に保持可能とする直角保持機構を備える、第１から３のいずれかの本考案の携帯電話スタンドである。
【００１２】
第５の本考案は、前記支持板状部材の一部に、携帯ストラップの連結部分を備える、第１から４のいずれかの本考案の携帯電話スタンドである。
【考案の効果】
【００１３】
本考案によれば、小型で携帯性に優れる携帯電話スタンドを提供できる。
【図面の簡単な説明】
【００１４】
【図１】図５の携帯電話スタンドに携帯電話を載せた使用例を示した概略側面図
【図２】本考案を適用した携帯電話スタンドの一実施形態の構成を示すもので、携帯電話スタンドを折り畳んで一例としての携帯電話とともに示した平面図
【図３】図１の正面図
【図４】図２の携帯電話スタンドの拡大斜視図
【図５】図４の携帯電話スタンドを展開した状態を示した斜視図
【考案を実施するための形態】
【００１５】
以下、図を参照して本考案を実施するための形態を詳細に説明する。
【００１６】
図２は本考案を適用した携帯電話スタンドの一実施形態の構成を示すもので、１は携帯電話スタンド、２は携帯電話、３は携帯ストラップ、４は輪、５は着脱金具、６は輪である。
【００１７】
携帯電話スタンド１には、携帯電話２に装着された携帯ストラップ３の先端部に設けた輪４に対し着脱可能な着脱金具５が輪６を介して備えられている。従って、折り畳まれた状態の携帯電話スタンド１は、その着脱金具５を、携帯電話２に装着された携帯ストラップ３の先端部に設けた輪４に接続することで、携帯電話２と一緒に携行できる。
【００１８】
図４は携帯電話スタンド１を拡大して示し、図５は携帯電話スタンド１を展開した状態を示したもので、１１は第１支持板状部材、１２は第２支持板状部材、１３は第３支持板状部材、１４・１５は凸部、１６・１７は小孔である。すなわち、携帯電話スタンド１は、第１支持板状部材１１と第２支持板状部材１２を互いの一端部で凸部１４により回動可能で折り畳み可能に結合し、さらに、第２支持板状部材１２の他端部に第３支持板状部材１３の一端部を凸部１５により回動可能で折り畳み可能に結合してなる。
【００１９】
具体的には、第１支持板状部材１１、第２支持板状部材１２及び第３支持板状部材１３は、互いに重なり合う何れも小さな四角形をなす合成樹脂製のものである。
【００２０】
第１支持板状部材１１には、一端部の両側に突片１１ａが形成されて、他端側の両側に切欠１１ｂが形成されている。この第１支持板状部材１１の一端部両側の突片１１ａを第２支持板状部材１２の一端部両側に当てて凸部１４及び小孔１６による係合で結合されて、第１支持板状部材１１と第２支持板状部材１２が回動可能で折り畳み可能となっている。ここで、第２支持板状部材１２の一端部両側に凸部１４が一体に形成されて、第１支持板状部材１１の両側の突片１１ａに小孔１６が形成されている。
【００２１】
第２支持板状部材１２には、他端部の端面中央に凹み１２ａが形成されている。この凹み１２ａは、第１支持板状部材１１と第２支持板状部材１２を折り畳んで重ねた状態で、第１支持板状部材１１側に位置する。
【００２２】
第３支持板状部材１３には、両側の側片１３ａが形成されて、さらに、その側片１３ａの一端部側に突起１３ｂが形成されている。この第３支持板状部材１３の側片１３ａの一端部側を第２支持板状部材１２の凹み１２ａを有する他端部両側に当てて凸部１５及び小孔１７による係合で結合されて、第２支持板状部材１２と第３支持板状部材１３が回動可能で折り畳み可能となっている。ここで、第２支持板状部材１２の他端部両側に凸部１５が一体に形成されて、第３支持板状部材１３の両側の側片１３ａの一端部側に小孔１７が形成されている。
【００２３】
なお、第３支持板状部材１３の側片１３ａは、凸部１５及び小孔１７による結合部と反対側が、図４に示したように、第１支持板状部材１１、第２支持板状部材１２及び第３支持板状部材１３を折り畳んで重ねた状態で、第１支持板状部材１１の突片１１ａに合致する形状となっている。
【００２４】
さらに、第３支持板状部材１３の側片１３ａからの突起１３ｂは、図４に示したように、第１支持板状部材１１、第２支持板状部材１２及び第３支持板状部材１３を折り畳んで重ねた状態で、第１支持板状部材１１の切欠１１ｂ内に係合する。このような突起１３ｂと切欠１１ｂの係合によって、携帯電話スタンド１の折り畳み状態が保持される。
【００２５】
そして、第３支持板状部材１３の一方の側片１３ａには、着脱金具５の輪６を装着可能な連結部分１３ｃが形成されている。この連結部分１３ｃは、図示のように、円孔を有する突起状のもので、その円孔に輪６を通して着脱金具５が装着されている。
【００２６】
以上の携帯電話スタンド１は、折り畳むととっても小型・コンパクトであり、その着脱金具５を、携帯電話２に装着された携帯ストラップ３の先端部に設けた輪４に接続することで、携帯電話２と一緒に手軽に携行することができる。
【００２７】
そして、必要なときに、携帯ストラップ３から携帯電話スタンド１を取り外して、展開状態にすることで、携帯電話２を横置き状態に載せる携帯電話スタンド１として便利に使うことができる。
【００２８】
すなわち、図４に示した携帯電話スタンド１の折り畳み状態において、両側の側片１３ａを指先で挟んで、凹み１２ａを利用して他方の手の指先で第１支持板状部材１１を、凸部１４を中心に回動させて第２支持板状部材１２に対し開く一方、側片１３ａ及び連結部分１３ｃを利用して指先で第３支持板状部材１３を、凸部１５を中心に回動させて第２支持板状部材１２に対し開く。
【００２９】
これにより、図５に示したように、第１支持板状部材１１と第２支持板状部材１２が直角状態になるとともに、第２支持板状部材１２と第３支持板状部材１３も直角状態になる。この直角状態は、第１支持板状部材１１に対する第２支持板状部材１２の端面の当接により保持されるとともに、第３支持板状部材１３に対する第２支持板状部材１２の端面の当接により保持される。このような直角保持機構となっている。なお、第３支持板状部材１３と第２支持板状部材１２の端部とにおいて、直角の他に、複数の角度位置での保持を可能とする、例えば凹凸係合によるクリック構造を採用しても良い。
【００３０】
こうして携帯電話スタンド１を直角に開いた状態にして、図５,図１,及び図３に示すように、その第１支持板状部材１１に、横置きにした携帯電話２の側面中央部を載せて、第２支持板状部材１２に、横置きの携帯電話２の背面中央部を支えさせる。従って、図示したような横置きで後傾した状態の携帯電話２の横長画面に映し出されるワンセグ放送、ビデオクリップ、着うたフルなどの音楽、デジタルラジオなどを、例えばカフェ、長距離移動中、学校、オフィスなどの外出先等でも手軽に楽しむことができる。
【００３１】
特に、スピーカーが背面にある携帯電話では、図示のような横置きで後傾状態にして、音響効果を向上することができる。
【００３２】
なお、携帯電話スタンド１は、携帯電話２を縦置きすることもできる。
【００３３】
また、携帯電話スタンド１は、携帯ストラップ用のものであって、さらに、第１支持板状部材１１及び第３支持板状部材１３の表面にオリジナルプリントしたり、シールを貼り付けたりできるため、販売促進グッズとしても良好である。
【００３４】
なお、以上の実施形態においては、一体型携帯電話を例示したが、折り畳み式携帯電話やスライド式携帯電話やスマートフォン等であっても良い。
【００３５】
さらに、実施形態では、着脱金具の連結部分を第３支持板状部材に設けたが、第１支持板状部材や第２支持板状部材に設けても良い。
【００３６】
また、携帯電話スタンドを構成する支持板状部材の形状や直角保持機構等も任意であり、その他、具体的な細部構造等についても適宜に変更可能であることは勿論である。例えば第２支持板状部材に設けた凸部を第１支持板状部材の突片及び第３支持板状部材の側片に形成した小孔に係合したが、逆に、第２支持板状部材に形成した小穴に第１支持板状部材の突片及び第３支持板状部材の側片に設けた凸部を係合するようにしても良い。また、ピン結合しても良い。
【産業上の利用可能性】
【００３７】
本考案の携帯電話スタンドは、小型で携帯性に優れるという効果を有し、携帯ストラップに着脱可能な携帯電話スタンドなどとして有用である。
【符号の説明】
【００３８】
１  携帯電話スタンド
１１  第１支持板状部材
１１ａ  突片
１１ｂ  切欠
１２  第２支持板状部材
１２ａ  凹み
１３  第３支持板状部材
１３ａ  側片
１３ｂ  突起
１３ｃ  連結部分
１４  凸部
１５  凸部
１６  小孔
１７  小孔
２  携帯電話
３  携帯ストラップ
４  輪
５  着脱金具
６  輪
【図１】
0003162834.tif 000003
【図２】
0003162834.tif 000004
【図３】
0003162834.tif 000005
【図４】
0003162834.tif 000006
【図５】
0003162834.tif 000007